(57)【要約】【課題】  被写体を撮影した被写体画像と被写体に装着された無線タグから取得した無線タグ情報とを対応させて記憶する。【解決手段】  被写体を撮影する際に、被写体に装着された無線タグと電波により通信を行って無線タグ情報を取得し、取得した無線タグ情報に基づき、被写体の位置情報を特定し、特定した位置情報と、撮影した被写体画像とを対応させて記憶するように制御する。【選択図】      図１
2005347795.tif 000002
【特許請求の範囲】
【請求項１】
被写体を撮影する撮影手段と、無線タグと通信する通信手段とを有する携帯情報機器であって、
前記撮影手段により被写体を撮影する際に、前記通信手段によって無線タグから無線タグ情報を取得する取得手段と、
前記取得手段により取得した無線タグ情報に基づき、前記被写体の位置情報を特定する特定手段と、
前記特定手段により特定した位置情報と、前記撮影手段により撮影した被写体画像とを対応させて記憶手段に記憶するように制御する制御手段とを有することを特徴とする携帯情報機器。
【請求項２】
前記対応させて記憶された位置情報と被写体画像とを送信する送信手段とを更に有することを特徴とする請求項１記載の携帯情報機器。
【請求項３】
前記取得手段は、複数の被写体にそれぞれ無線タグが装着されている場合、電波の強度が最強の無線タグから無線タグ情報を取得することを特徴とする請求項１記載の携帯情報機器。
【請求項４】
前記特定手段は、前記取得手段で無線タグから無線タグ情報を取得できない場合、既に取得している最近の無線タグ情報の履歴に基づいて推測した推測位置情報を被写体画像の位置情報として特定することを特徴とする請求項１記載の携帯情報機器。
【請求項５】
前記特定手段は、前記取得手段で無線タグから無線タグ情報を取得できない場合、前記取得手段とは別の取得手段により別途取得した位置情報から推測した推測位置情報を被写体画像の位置情報として特定することを特徴とする請求項１記載の携帯情報機器。
【請求項６】
前記特定手段は、前記取得手段で無線タグから無線タグ情報を取得できない場合、取得済みの位置情報に基づいて推測した仮の推測位置情報を被写体画像の位置情報として特定することを特徴とする請求項１記載の携帯情報機器。
【請求項７】
前記無線タグ情報は郵便番号データであり、前記位置情報は所定の住所変換辞書により前記郵便番号データから変換される住所情報であることを特徴とする請求項１記載の携帯情報機器。
【請求項８】
被写体を撮影する撮影手段と、無線タグと通信する通信手段とを有する携帯情報機器の制御方法であって、
前記撮影手段により被写体を撮影する際に、前記通信手段によって無線タグから無線タグ情報を取得する取得工程と、
前記取得工程で取得した無線タグ情報に基づき、前記被写体の位置情報を特定する特定工程と、
前記特定工程で特定した位置情報と、前記撮影手段により撮影した被写体画像とを対応させて記憶手段に記憶するように制御する制御工程とを有することを特徴とする携帯情報機器の制御方法。
【請求項９】
請求項８記載の携帯情報機器の制御方法をコンピュータに実行させるためのプログラム。
【請求項１０】
請求項９記載のプログラムを記録したコンピュータ読み取り可能な記録媒体。
【発明の詳細な説明】
【技術分野】
【０００１】
本発明は、無線タグから取得した無線タグ情報と撮影した被写体画像とを対応させて記憶する技術に関する。
【背景技術】
【０００２】
従来、無線タグＩＤを物品に装着しておき、その無線タグＩＤをディテクタで読み取り、商品を管理する技術が提案されている（例えば、特許文献１参照）。
【０００３】
この特許文献１には、実物（被写体）を識別するために、識別した実物に関連する情報を提供することが記載されている。また、携帯端末を実物に近付けると、実物に関連する情報が携帯端末を通じて得られることが記載されている。
【特許文献１】特開平１０−１９８７３１号公報
【発明の開示】
【発明が解決しようとする課題】
【０００４】
しかしながら、上記従来技術では、無線タグＩＤをデータベース化して管理することは記載されているが、画像情報と組み合わせて、更に機能をアップすることについては考慮されておらず、しかも画像情報のような付帯情報をタグＩＤとどのようにして簡便に取得したり登録したりするかについては何ら考慮されていない。
【０００５】
更には、被写体の撮影時に、ＩＤタグ情報を複数個取得してしまった場合や、全くタグ情報を取得することができなかった場合に関しても記載されていない。
【０００６】
本発明は、上記課題を解決するためになされたもので、被写体を撮影した被写体画像と無線タグから取得した無線タグ情報とを対応させて記憶することを目的とする。
【課題を解決するための手段】
【０００７】
本発明は、被写体を撮影する撮影手段と、無線タグと通信する通信手段とを有する携帯情報機器であって、前記撮影手段により被写体を撮影する際に、前記通信手段によって無線タグから無線タグ情報を取得する取得手段と、前記取得手段により取得した無線タグ情報に基づき、前記被写体の位置情報を特定する特定手段と、前記特定手段により特定した位置情報と、前記撮影手段により撮影した被写体画像とを対応させて記憶手段に記憶するように制御する制御手段とを有することを特徴とする。
【０００８】
また、本発明は、被写体を撮影する撮影手段と、無線タグと通信する通信手段とを有する携帯情報機器の制御方法であって、前記撮影手段により被写体を撮影する際に、前記通信手段によって無線タグから無線タグ情報を取得する取得工程と、前記取得工程で取得した無線タグ情報に基づき、前記被写体の位置情報を特定する特定工程と、前記特定工程で特定した位置情報と、前記撮影手段により撮影した被写体画像とを対応させて記憶手段に記憶するように制御する制御工程とを有することを特徴とする。
【発明の効果】
【０００９】
本発明によれば、被写体を撮影した被写体画像と無線タグから取得した無線タグ情報とを対応させて記憶することにより、ユーザの利便性を向上させることができる。
【発明を実施するための最良の形態】
【００１０】
以下、図面を参照しながら発明を実施するための最良の形態について詳細に説明する。尚、本実施形態では、携帯情報機器として、デジタルカメラ、カメラ付きの携帯電話又は携帯端末（ＰＤＡ：Personal Digital Assistants）、デジタルビデオカメラなどの撮影機能を有する撮影装置を例に説明する。
【実施例１】
【００１１】
図１は、撮影装置と被写体の無線タグとの関係を示す図である。図１において、１０１は撮影装置本体である。１０２は被写体である。１０３は無線タグであり、被写体１０２に装着され、所定の情報を記憶すると共に所定の情報を無線タグ情報（タグＩＤ）として無線で送信可能な機能を有する。１０４はレンズであり、被写体１０２を撮影するための撮影光学系である。１０５は撮影装置に装着された無線タグディテクタであり、無線で送信される無線タグ情報を取得するための無線タグ検出装置である。
【００１２】
尚、実施例１では、レンズ１０４と無線タグディテクタ１０５とを別々に構成しているが、レンズ１０４と無線タグディテクタ１０５とを一体化しても良い。
【００１３】
ここで、無線タグ情報とは、例を挙げれば物や場所等の特定が可能な一意なＩＤ情報である。近年、極小のシリコンチップで、個体固有の番号情報等を記憶し、外部から受信した電波の誘導起電力により電力を得て個体固有の番号情報を無線で送信可能とする無線タグデバイスが発表されている。本実施例での無線タグは、このような無線タグデバイスであり、この種の機能を実現可能な無線タグであれば特に限定されるものではない。
【００１４】
無線タグ情報を記憶したい場合には、撮影前に予め被写体１０２に無線タグを装着しておく。その装着方法としては、電波の発信を阻害しない位置にシールで貼着するか或いは塗料に混ぜて塗布する等様々な方法が存在するが、特に限定されるものではない。
【００１５】
被写体１０２の撮影と無線タグ情報の取得の両方を一連の動作で、且つ容易に行うことができるように、被写体１０２に撮影装置１０１を向けた状態で、無線タグからの電波を十分な感度を保って受信できる位置に無線タグディテクタ１０５を装置１０１に配置する。
【００１６】
もちろん、撮影装置１０１の背面に無線タグディテクタ１０５が存在していても、指向性方向が同一、或いはおよそ同一で且つ十分な感度が保たれる場合には問題無い。
【００１７】
また、図２に示すように、複数の無線タグ１０３、１０７、１０９が存在する場合は、撮影ターゲットである被写体１０２の無線タグ１０３以外の無線タグ１０６、１０９からの同時受信を避けるために、無線タグディテクタ１０５の指向性をレンズ１０４の光学系光軸方向の指向性方向を同一、或いはおよそ同一にすることが好ましい。
【００１８】
図２では、無線タグディテクタ１０５から出ている楕円（図中の２点鎖線）の大きさで指向性感度を表している。図２に示す例は、無線タグ１０３が光学系光軸上にあり、且つ無線タグの最大指向性方向との交点に存在する場合であり、非ターゲットである無線タグ１０７、１０９からの電波に対する感度は小さく、これら無線タグ１０７、１０９からの影響は少なくなっている。
【００１９】
しかしながら、これら複数の無線タグ情報が取得できないわけではなく、これら無線タグからの無線タグ情報を順次取得し、受信強度や受信順序を利用して位置情報の確度を上げることができる。
【００２０】
この場合、無線タグ１０３からの信号が最強強度の信号として受信され、無線タグ１０３からの信号を位置情報として記憶することになる。
【００２１】
また、図３には、光学系光軸からずれている無線タグ１０７、１０９からの信号を受信する場合を示している。
【００２２】
更に、図４では、無線タグ１０７からの信号を受信することができず、無線タグ１０９からの信号のみを受信した場合を示している。
【００２３】
ここで、被写体１０２を撮影すると同時に、無線タグ１０３を取得する撮影装置１０１の構成及び動作について説明する。
【００２４】
図５は、実施例１における撮影装置の構成の一例を示す概略ブロック図である。図５において、２は撮像部であり、撮影光学系（レンズ）１０４と、レンズ１０４によって結像された光学像を電気信号に変換するＣＣＤ撮像素子或いはＣＭＯＳ撮像素子等の撮像手段としての撮像素子１１０とで構成されている。
【００２５】
３はデジタル信号処理部であり、撮像部２からの信号をデジタル信号に変換するＡ／Ｄ変換部１１１と、Ａ／Ｄ変換部１１１でデジタル化された信号を所定の映像信号（例えば、輝度信号、色信号）に変換するデジタル信号処理回路（ＤＳＰ）１１２と、所定の映像信号を圧縮処理する圧縮部１１３とで構成されている。
【００２６】
また、デジタル信号処理部３は、Ａ／Ｄ変換器１１１の出力或いは圧縮部１１３で圧縮された信号を一時的に保持するワークエリアとして記憶用メモリ（例えば、リフレッシュ機能を有するＤＲＡＭ）を含む。
【００２７】
４は記録インターフェース（Ｉ／Ｆ）部であり、圧縮された信号を着脱可能な記憶装置に書き込み又は読み出す際のアクセスを制御する。５は実際に撮影画像を保存する保存用の記憶装置（例えば、メモリカード等の着脱可能な記憶媒体）である。
【００２８】
７はシャッター１等を含むキー入力部、１３は撮影装置の制御プログラムや制御データを記憶するためのＲＯＭ（例えば、ＥＥＰＲＯＭ）、８は制御プログラムが動作する上で必要なフラグ等の情報を記憶するためのＲＡＭ、９は画像表示や警告表示等を行うための表示部、１０はＣＰＵ（中央処理装置）、６はＣＰＵ１０と密接に接続されたＡＳＩＣであり、本装置内の各種回路の制御を司る制御回路である。
【００２９】
１１は外部と無線通信（例えば、カードによる携帯電話機能である送受話）を行うための無線通信ユニット、１２はデータを送受信するためのＩ／Ｆ部である。更に１４は無線タグ情報を住所情報に変換するための辞書である。１０５は被写体に装着された無線タグから無線で送信される無線タグ情報を検出する無線タグ検出部である。
【００３０】
以上の構成において、撮影装置が被写体の無線タグから取得した無線タグ情報に基づいて住所情報を取得するまでの動作の一例を、図６に示す辞書構成を用いて説明する。
【００３１】
図６は、実施例１における辞書の構成の一例を示す図である。図６に示すように、この辞書１４には、複数組のタグＩＤとタグデータ列（実施例１では、郵便番号データ）とが保有され、各タグデータ列（郵便番号データ）と一致する郵便番号に対応する住所情報が保有されている。
【００３２】
まず、無線タグ検出部１０５が被写体の無線タグから無線タグ情報を取得すると、ＡＳＩＣ６は辞書１４を参照し、取得した無線タグ情報と一致するタグＩＤを検索し、例えばタグＩＤ６０３と一致すると、タグＩＤ６０３に対応するタグデータ列６０４を取得する。そして、そのタグデータ列６０４の郵便番号データに基づき、郵便番号情報を検索し、例えば郵便番号６０３と一致すると、郵便番号６０３に対応する住所情報（テキスト列）６０４を取得する。そして、その取得した住所情報６０４を撮影画像と一対で記憶装置５に記憶する。
【００３３】
尚、この例では、位置情報をテキスト変換した状態で記憶するように構成しているが、これに限らず、タグ情報のままで記憶しておき、送信時等に変換処理を施すようにしても一向に構わない。
【００３４】
次に、図７を用いて、実施例１における撮影装置１０１が被写体を撮影すると同時に、被写体に装着された無線タグの無線タグ情報を検出し、検出した無線タグ情報に基づいて住所変換を行い、その住所の位置情報を撮影した被写体画像と共に着脱可能な記憶媒体に記憶する処理について説明する。
【００３５】
図７は、実施例１における撮影装置の処理を示すフローチャートである。まずステップＳ１において、無線タグディテクタ１０５が無線タグ（以下、図１に示す無線タグ１０３とする）を励起する電波を発信し、その起電力により、無線タグ１０３が無線タグ情報を発信する。
【００３６】
次に、ステップＳ２において、無線タグ１０３からの応答があるか否かを判断し、無線タグ１０３からの応答があればステップＳ３へ進み、直ちに無線タグ情報の検出を行う。この検出処理は、唯一の無線タグ情報を検出した場合か、或いは、複数の無線タグ情報を検出した場合に、無線タグ情報の検出が成功したものとする。また、複数の無線タグ情報を検出した場合は、その信号強度の順位も記憶しておくものとする。また、ステップＳ２で、無線タグ１０３からの応答がない場合は、そのままステップＳ４へ移行する。
【００３７】
次に、ステップＳ４において、キー入力部７における撮影ボタン（シャッターボタン）１の押下を検知するとステップＳ５へ進み、撮像部２により撮像処理を行う。また、撮影ボタン（シャッターボタン）１が押下されなかった場合はステップＳ１に戻り、再度無線タグ１０３を励起する電波を送出する。
【００３８】
次に、ステップＳ６において、無線タグ情報が検出済みか否かの判別を行う。ここで、上述のステップＳ３で無線タグ情報が１個も取得されていなければステップＳ１２へ進み、最後に取得した無線タグ情報と別の方法（例えば図示しないＧＰＳ受信部による位置情報の取得）により取得した位置情報とから位置情報を推測するための情報として、一時的にメモリ上に保存し、ステップＳ９へ進む。
【００３９】
これに対して、ステップＳ６で無線タグ情報が取得されていればステップＳ７へ進み、検出した無線タグ情報の個数が１個か、複数個かの判別を行う。ここで、検出された無線タグ情報の個数が複数個であった場合にはステップＳ１３へ進み、受信電波が最強である無線タグ情報をシャッタ操作が実行された際の撮影画像の位置情報として一時的にメモリ上に保存し、ステップＳ９へ進む。また、ステップＳ７で、検出された無線タグ情報の個数が１個であればステップＳ８へ進み、その無線タグ情報を撮影画像に対する位置情報として一時的にメモリ上に保存し、ステップＳ９へ進む。
【００４０】
このステップＳ９では、取得又は特定した無線タグ情報を、住所変換辞書１４を用いることにより、住所情報（テキスト）に変換する。そして、ステップＳ１０で、上述の処理により取得変換された住所情報と、その際に撮影された被写体画像とを一対とするような情報形態として記憶媒体５に記憶する。その後、ステップＳ１１において、キー入力部７から情報送信が指示されると、上述のステップＳ１０で、一対として記憶した情報を無線通信ユニット１１が外部に対して送信処理を行う。
【００４１】
尚、一対として記憶する情報スキーマとしては、例えば図８に示すようなデータベースＤＢがある。ＤＢレコードとしては、無線タグＩＤ情報と信号強度のリスト８０１、撮影画像へのポインタ８０２、画像サイズ（縦横サイズ）８０３、容量（バイト数）８０４、画像に対してユニークに付与される画像ＩＤ８０５、日付等の自動取得可能なメタデータ８０６が記憶される。画像へのポインタ８０２は画像格納先のアドレスやファイルとしてのパス情報もあり、更に画像へのポインタではなく、画像データ自身を記憶するスキーマであっても構わない。
【００４２】
上述したように、被写体に装着した被写体の撮影と無線タグ情報の取得の両方を簡便な一連の動作で行うことができ、しかも無線タグ情報の取得の可否に応じた記憶処理を行うことができる。
【００４３】
図９は、プリンタ本体の構成を示すブロック図である。このプリンタ本体３００は一般的なインクジェットプリンタであり、内部に表示部３０１、キー入力部３０２、ドライバ３０３、ＣＰＵ３０４、ＡＳＩＣ３０５、ＲＯＭ３０６、ＤＲＡＭ３０７、電源部３０８、インクタンク３０９、メディア３１０、通信ユニット３１１、Ｉ／Ｆ３１２、及びプリンタユニット４００を備えている。また、プリンタユニット４００は、各種モータ４０１、印字ヘッド４０２、及びエンコーダセンサ等の制御系４０３を含む。
【００４４】
尚、プリンタ本体３００の各機能は公知であり、その詳細な説明は省略する。
【００４５】
図１に示す撮影装置で撮影された画像は、前述した通り、本体内には画像情報と撮影時の位置情報とが、一対の情報として記憶されている。この一対の情報を、図１に示す撮影装置の送受信Ｉ／Ｆ部１２または無線通信ユニット１１からプリンタ本体３００のＩ／Ｆ３１２を介して印刷する。
【００４６】
一般的に撮影された画像は、各種記憶装置に保存されと共に、印刷されて配られたり、飾られたりすることになる。
【００４７】
また、撮影された画像を、例えばパーソナルコンピュータ（ＰＣ）等のＨＤＤ（ハードディスク）に保存するような場合を考えると、乱雑に保存されることになり、撮影された画像が、何処で撮影されたものかが解らなくなってしまうことが多い。
【００４８】
しかし、実施例１のように、位置のテキスト情報と画像情報とが一対として保存されているため、保存されている状態でも用意に確認できるばかりか、実際に印刷する場合でも、その情報を撮影画像の一部分、又は余白部分に出力する構成にすることで、印刷された出力を見ただけで（たとえ、その出力画像が何処にでもあるような紛らわしい画像であっても）場所を特定することが可能となる。また、画像を見ながらテキスト情報として視覚に入ってくるため、有効になることは明白である。
【００４９】
更に言えば、初めて訪れたような場所で緊急を要するような状況に陥った（事故が発生し緊急に連絡をしなければならなくなったような）場合を考えると、今いる場所が、住所情報として、○○市の△△町◇◇丁目××番地であることを把握する迄に非常に長い時間を要することになるが、実施例１では瞬時に位置情報を特定することが可能となる。これは、印刷だけに限らず、携帯電話等を利用して連絡をするような場合であっても、同様である。
【００５０】
更に、取得した無線タグ情報を住所情報に変換することにより文字の羅列ではない住所テキスト情報として位置情報を得ることができるため、目で見て解るようになり、利便性が向上した機器を提供することが可能となる。
【実施例２】
【００５１】
次に、図面を参照しながら本発明に係る実施例２について詳細に説明する。
【００５２】
実施例１では、撮影ボタンを押下する前に、無線タグ情報をサーチする構成を説明したが、実施例２では、撮影ボタンを押下した後に、無線タグ情報をサーチする構成について説明する。
【００５３】
尚、実施例２における撮影装置の構成は実施例１で説明した図５と同様であり、詳細な説明は省略する。
【００５４】
ここで、図１０を用いて、撮影装置１０１で実行される実施例２における処理について説明する。
【００５５】
図１０は、実施例２における撮影装置の処理を示すフローチャートである。ステップＳ５１において、撮影ボタン（シャッターボタン）１の押下を検知したか否かを判定する。撮影ボタン（シャッターボタン）１が操作されるまでループして待機するが、撮影ボタン１の押下を検知するとステップＳ５２へ進み、撮影処理を行う。そして、ステップＳ５３において、無線タグディテクタ１０５が無線タグを励起する電波を発信し、その起電力により、無線タグが無線タグ情報を発信する。
【００５６】
次に、ステップＳ５４において、無線タグからの応答があるか否かを判断し、無線タグからの応答があればステップＳ５５へ進み、直ちに無線タグ情報の検出を行う。この検出処理は、唯一の無線タグ情報を検出した場合か、或いは、複数の無線タグ情報を検出した場合に、無線タグ情報の検出が成功したものとする。また、複数の無線タグ情報を検出した場合は、その信号強度の順位も記憶すると共に、受信した順番も一時記憶しておくものとする。
【００５７】
一方、ステップＳ５４において、無線タグからの応答がない場合は、そのままステップＳ６２へ移行する。
【００５８】
次に、ステップＳ５６において、ステップＳ５５の処理で無線タグ情報を検出しているか否かを判定し、検出していればステップＳ５７へ進み、検出していなければステップＳ６２へ進む。
【００５９】
このステップＳ５７では、検出した無線タグ情報の個数が１個か、複数個かの判別を行う。ここで、検出された無線タグの個数が複数個であった場合にはステップＳ６３へ進み、受信した順番情報に基づいて、例えば一番早く受け取ったデータを撮影画像の位置情報として一時的にメモリ上に保存し、ステップＳ５９へ進む。また、ステップＳ５７で、検出された無線タグ情報の個数が１個であればステップＳ５８へ進み、その無線タグ情報を撮影画像に対する位置情報として一時的にメモリ上に保存し、ステップＳ５９へ進む。
【００６０】
また、ステップＳ６２では、最後に取得されたタグ情報だけではなく、最近取得したタグ情報の履歴を参照し、撮影画像に対応する位置情報を推測するための情報として一時的にメモリ上に保存し、ステップＳ５９へ進む。
【００６１】
このステップＳ５９では、取得又は特定した無線タグ情報を、住所変換辞書１４を用いることにより、住所情報（テキスト）に変換する。そして、ステップＳ６０で、上述の処理により取得変換された住所情報と、その際に撮影された被写体画像とを一対とするような情報形態として記憶する。その後、ステップＳ６１において、キー入力部７から情報送信が指示されると、上述のステップＳ６０で、一対として記憶した情報を無線通信ユニット１１が外部に対して送信処理を行う。
【００６２】
上述したように、被写体に装着した被写体の撮影と無線タグ情報の取得の両方を簡便な一連の動作で行うことができ、しかも無線タグ情報の取得の可否に応じた記憶処理を行うことができる。
【００６３】
尚、実施例２では、撮影レスポンスの観点から撮影ボタンを押下した直後に撮像処理を行い、その後、無線タグ励起電波の送出、及び無線タグ情報の取得処理を行う場合を例に説明したが、撮影ボタンを押下した直後に無線タグ励起電波の送出、及び無線タグ情報の取得処理を行い、その後、撮像処理を行うようにしても良い。
【実施例３】
【００６４】
次に、図面を参照しながら本発明に係る実施例３について詳細に説明する。
【００６５】
尚、実施例３における撮影装置の構成は実施例１で説明した図５と同様であり、詳細な説明は省略する。
【００６６】
上述した実施例１では、複数個のタグを検出した場合、図７に示したステップＳ１３で、電波強度を考慮した状態で、最強の電波を出力している無線タグを撮影画像の位置情報と対応させて記憶、送信するように説明したが、これに限らず、図１１に示すステップＳ１５のように、撮影画像の中心に位置している無線タグからの無線タグ情報を、その撮影画像を代表する位置情報として用いることも可能である。このように構成することにより、撮影した画像の位置情報＝中心近辺に位置している無線タグから発信されたものと容易に判定することができる。
【００６７】
また、実施例１では、無線タグ情報を取得することができなかった場合の処理として、図７に示したステップＳ１２で、最終タグ情報と別の位置情報取得手段から得られた情報に基づいて推測して算出するように説明したが、図１１に示すステップＳ１４のように、最終タグ情報のみを撮影画像に対する仮の位置情報として用いることも可能である。
【００６８】
［変形例］
上述した実施例２の図１０に示したステップＳ６２及びステップＳ６３の処理を図１１に示すステップＳ１４及びステップＳ１５の処理で置き換えることも可能である。これにより、実施例２の効果に加えて実施例３で説明した効果を得ることができる。
【００６９】
また、実施例１の図７に示したステップＳ１２及びステップＳ１３を実施例２の図１０に示したステップＳ６２及びステップＳ６３の処理で置き換えることも可能である。
【００７０】
［その他の実施例］
上述した実施例１〜実施例３の機能を実現するべく各種のデバイスを動作させるように、各種デバイスと接続された装置或いはシステム内のコンピュータに対し、上述した実施例の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００７１】
また、この場合、上記ソフトウェアのプログラムコード自体が上述した実施例の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００７２】
更に、上記プログラムコードをコンピュータに供給するための手段、例えばプログラムコードを格納した記録媒体は本発明を構成する。プログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７３】
また、コンピュータが供給されたプログラムコードを実行することにより、上述の実施例の機能が実現されるだけでなく、そのプログラムコードがコンピュータにおいて稼働しているＯＳ（オペレーティングシステム）或いは他のアプリケーションソフト等と協働して上述の実施形態の機能が実現される場合にもプログラムコードは本発明に含まれることは言うまでもない。
【００７４】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施例の機能が実現される場合にも本発明に含まれることは言うまでもない。
【００７５】
また、ＰＤＣ、ＤＳＣ、ＰＤＡ等の画像（被写体）を撮影可能な携帯機器を例にとって説明したが、本発明はこれだけに限らず、ＤＶＣ等の動画を撮影可能な機器に応用しても、撮影被写体から無線手段によって受け取るＩＤタグ情報をある一定間隔で取得することにより、同様の効果が得られることは言うまでもない。
【００７６】
以上、説明を加えてきたが、上記実施例において示した各部の形状及び構造は、何れも本発明を実施する際の具体化のほんの一例を示したものに過ぎず、これらによって本発明の技術的範囲が限定的に解釈されてはならないものである。即ち、本発明はその精神又はその主要な特徴から逸脱することなく、様々な形で実施することができる。
【００７７】
以上説明したように、実施例によれば、被写体の撮影と無線情報の取得を同時且つ簡便に実行することができ、しかも無線情報の取得の可否に応じた記憶処理を行うことができる。
【００７８】
更に、取得した無線タグ情報に基づいて住所情報に変換することにより、文字の羅列ではない住所テキスト情報として位置情報を得ることができ、目で見て容易に理解及び把握できるようになり、利便性が向上した機器を提供することが可能となる。
【図面の簡単な説明】
【００７９】
【図１】撮影装置と被写体の無線タグとの関係を示す図である。
【図２】撮影装置と複数の被写体の無線タグとの関係を示す図である。
【図３】光学系光軸からずれている無線タグ１０７、１０９からの信号を受信する場合を示す図である。
【図４】無線タグ１０７からの信号を受信できずに、無線タグ１０９からの信号のみを受信した場合を示す図である。
【図５】実施例１における撮影装置の構成の一例を示す概略ブロック図である。
【図６】実施例１における辞書の構成の一例を示す図である。
【図７】実施例１における撮影装置の処理を示すフローチャートである。
【図８】実施例１におけるデータベースＤＢの構成を示す図である。
【図９】印刷装置の構成の一例を示すブロック図である。
【図１０】実施例２における撮影装置の処理を示すフローチャートである。
【図１１】実施例３における撮影装置の処理を示すフローチャートである。
【符号の説明】
【００８０】
１  シャッターボタン
２  撮像部
３  デジタル信号処理部
４  記録Ｉ／Ｆ部
５  着脱可能な記憶媒体
６  ＡＳＩＣ
７  キー入力部
８  メモリＲＡＭ
９  表示部
１０  ＣＰＵ
１１  無線通信ユニット
１２  送受信Ｉ／Ｆ部
１３  ＲＯＭ
１４  住所変換辞書
１０１  撮影装置
１０２  被写体
１０３  無線タグ
１０４  レンズ
１０５  無線タグ検出部
１０６  被写体
１０７  無線タグ
１０８  被写体
１０９  無線タグ
１１０  撮像素子
１１１  Ａ／Ｄ変換部
１１２  ＤＳＰ
１１３  圧縮部
【図１】
2005347795.tif 000003
【図２】
2005347795.tif 000004
【図３】
2005347795.tif 000005
【図４】
2005347795.tif 000006
【図５】
2005347795.tif 000007
【図６】
2005347795.tif 000008
【図７】
2005347795.tif 000009
【図８】
2005347795.tif 000010
【図９】
2005347795.tif 000011
【図１０】
2005347795.tif 000012
【図１１】
2005347795.tif 000013